(57)【要約】      （修正有）【課題】操作性が高く、髪を傷付けない手持ち式の直流電流方式の電熱式ヘアカーラー装置を提供する。【解決手段】ケース、筒状部材１２、回転キット１４、モーター１６、周囲部材１８、第一電熱素子２０、第二電熱素子２２、及び制御ユニットを備える。ケースはグリップ及び毛髪入れ部を含む。筒状部材１２及び周囲部材１８は毛髪入れ部に内設される。一定のヘアが毛髪入れ部の切欠き部を通過して筒状部材と周囲部材との間の空間に入ると、制御ユニットはモーター１６を選択的に制御して回転キット１４を連動させてヘアを筒状部材１２に巻回させ、且つ第一電熱素子２０及び第二電熱素子２２を発熱させ、筒状部材１２に巻回されたヘアの成型を行う。【選択図】図２
0003196553.tif 000002
【実用新案登録請求の範囲】
【請求項１】
グリップ及び毛髪入れ部からなり、前記グリップには長軸方向が定義され、前記毛髪入れ部は保護板、周辺、及び切欠き部を有し、前記保護板は前記グリップの先端に形成されると共に中心方向が定義され、前記中心方向は前記長軸方向に大体垂直になり、前記周辺は前記保護板から延伸されると共に前記中心方向を包囲させ、前記切欠き部は前記周辺に形成されるケースと、
前記保護板に設置されると共に前記中心方向の箇所に位置される筒状部材と、
前記毛髪入れ部に内設されると共に前記筒状部材の先端に隣接する回転キットと、
前記毛髪入れ部に内設されると共に前記回転キットに操作可能に連結されるモーターと、
輪郭が前記周辺に対応し、且つ前記保護板に設置されると共に前記周辺の内側に位置される周囲部材と、
前記筒状部材内に装設されると共に前記筒状部材に熱結合される第一電熱素子と、
前記周囲部材内に設置されると共に前記周囲部材に熱結合される第二電熱素子と、
前記グリップに内設される電源装置と、
前記グリップに内設され、且つ前記モーター、前記第一電熱素子、及び前記第二電熱素子にそれぞれ電気的に接続される制御ユニットを備え、
ここでは、一定のヘアが前記切欠き部を通過して前記筒状部材と前記周囲部材との間の空間に入ると、前記制御ユニットは前記モーターを選択的に制御して前記回転キットを連動させて前記一定のヘアを前記筒状部材に止着させて回転させることで前記筒状部材に巻回させ、且つ前記第一電熱素子及び前記第二電熱素子を制御させて発熱させ、前記筒状部材に巻回される前記一定のヘアを成型させ、前記電源装置は前記モーター、前記第一電熱素子、前記第二電熱素子、及び前記制御ユニットの動作に必要な電力が給電されることを特徴とする電熱式ヘアカーラー装置。
【請求項２】
前記切欠き部箇所に設置されると共に前記制御ユニットに電気的に接続されるトリガー素子を更に備え、前記一定のヘアが前記切欠き部を通過して前記筒状部材と前記周囲部材との間の空間に入ると、前記トリガー素子がトリガーされてトリガー信号を前記制御ユニットに発信させ、前記制御ユニットは前記トリガー信号に基づいて前記モーターを制御させて前記回転キットを連動させて前記一定のヘアを前記筒状部材に止着させて回転させることで前記筒状部材に巻回させ、且つ前記第一電熱素子及び前記第二電熱素子を制御させて発熱させ、前記筒状部材に巻回される前記一定のヘアの成型を行うことを特徴とする、請求項１記載の電熱式ヘアカーラー装置。
【請求項３】
前記トリガー素子はマイクロスイッチであることを特徴とする、請求項２記載の電熱式ヘアカーラー装置。
【請求項４】
前記トリガー素子は光検知器であることを特徴とする、請求項２記載の電熱式ヘアカーラー装置。
【請求項５】
前記グリップに設置されると共に前記制御ユニットに電気的に接続される制御座を更に備え、使用者は前記制御座により命令を前記制御ユニットに入力し、前記制御ユニットは前記トリガー信号及び前記命令に基づいて前記モーターを制御させて前記回転キットを連動させ前記一定のヘアを前記筒状部材に止着させて回転させることにより前記筒状部材に巻回させ、且つ前記第一電熱素子及び前記第二電熱素子を制御させて発熱させ、前記筒状部材に巻回される前記一定のヘアの成型を行うことを特徴とする、請求項２記載の電熱式ヘアカーラー装置。
【請求項６】
前記第一電熱素子はセラミック電熱素子、ポリイミドサーモフィルム、シリコンサーモフィルム素子、及び電熱シート素子のの組み合わせの内の何れか１つから選択されることを特徴とする、請求項１記載の電熱式ヘアカーラー装置。
【請求項７】
前記第二電熱素子にはセラミック電熱素子、ポリイミドサーモフィルム、シリコンサーモフィルム素子、及び電熱シート素子の組み合わせの内の何れか１つから選択されることを特徴とする、請求項１記載の電熱式ヘアカーラー装置。
【請求項８】
前記電源装置は充電池を備えることを特徴とする、請求項１記載の電熱式ヘアカーラー装置。
【請求項９】
前記電源装置還は外部の交流電源への接続に用られるコネクターを備えることを特徴とする、請求項８記載の電熱式ヘアカーラー装置。
【請求項１０】
前記グリップに設置されると共に前記制御ユニットに電気的に接続される表示装置を更に備え、前記制御ユニットは表示信号を前記表示装置に出力し、前記表示装置には前記表示信号が表示されることを特徴とする、請求項１記載の電熱式ヘアカーラー装置。
【考案の詳細な説明】
【技術分野】
【０００１】
本考案は、操作性が高く、髪を傷めない手持ち式の直流電流方式の電熱式ヘアカーラー装置に関する。
【背景技術】
【０００２】
現在市場には電熱方式によりヘアを成型させる手持ち装置が多く出回っている。
【考案の概要】
【考案が解決しようとする課題】
【０００３】
しかしながら、これらの公知の手持ち式ヘア成型装置は皆ヘアに電熱素子が直接接触するため、容易に髪を傷付けた。多くの従来の技術による手持ち式ヘア成型装置は上下２つの柄を有する設計を採用するが、但しこの設計では柄の把持できる部位のサイズを制限してしまい、これが加熱部位のサイズの制限に繋がり、重量の分配が最適化された手持ち式ヘア成型装置を設計するには不利であった。このほか、これらの手持ち式ヘア成型装置には、使用者が操作する上での利便性に改善の余地が大いにある。
【０００４】
また、これら手持ち式ヘア成型装置の多くは交流電源を採用するが、電磁波を発生させて使用者に集中させ、傷害を与える心配もある。さらには、これら手持ち式ヘア成型装置は交流電源を脱離させることが出来ず、どこでも使用出来るわけではない。
【０００５】
そこで、本考案者は上記の欠点が改善可能と考え、鋭意検討を重ねた結果、合理的かつ効果的に課題を改善する本考案の提案に到った。
【０００６】
さらに、本考案は、このような従来の問題に鑑みてなされたものである。上記課題解決のため、本考案は、操作性が高く、髪を傷付けない手持ち式の直流電流方式の電熱式ヘアカーラー装置装置を提供することを主目的とする。
【課題を解決するための手段】
【０００７】
上述した課題を解決し、目的を達成するために、本考案に係る電熱式ヘアカーラー装置装置は、
グリップ及び毛髪入れ部からなり、前記グリップには長軸方向が定義され、前記毛髪入れ部は保護板、周辺、及び切欠き部を有し、前記保護板は前記グリップの先端に形成されると共に中心方向が定義され、前記中心方向は前記長軸方向に大体垂直になり、前記周辺は前記保護板から延伸されると共に前記中心方向を包囲させ、前記切欠き部は前記周辺に形成されるケースと、前記保護板に設置されると共に前記中心方向の箇所に位置される筒状部材と、前記毛髪入れ部に内設されると共に前記筒状部材の先端に隣接する回転キットと、前記毛髪入れ部に内設されると共に前記回転キットに操作可能に連結されるモーターと、輪郭が前記周辺に対応し、且つ前記保護板に設置されると共に前記周辺の内側に位置される周囲部材と、前記筒状部材内に装設されると共に前記筒状部材に熱結合される第一電熱素子と、前記周囲部材内に設置されると共に前記周囲部材に熱結合される第二電熱素子と、前記グリップに内設される電源装置と、前記グリップに内設され、且つ前記モーター、前記第一電熱素子、及び前記第二電熱素子にそれぞれ電気的に接続される制御ユニットを備え、
ここでは、一定のヘアが前記切欠き部を通過して前記筒状部材と前記周囲部材との間の空間に入ると、前記制御ユニットは前記モーターを選択的に制御して前記回転キットを連動させて前記一定のヘアを前記筒状部材に止着させて回転させることで前記筒状部材に巻回させ、且つ前記第一電熱素子及び前記第二電熱素子を制御させて発熱させ、前記筒状部材に巻回される前記一定のヘアを成型させ、前記電源装置は前記モーター、前記第一電熱素子、前記第二電熱素子、及び前記制御ユニットの動作に必要な電力が給電されることを特徴とする。
【０００８】
好ましい実施態様では、本考案に係る電熱式ヘアカーラー装置装置は、前記切欠き部箇所に設置されると共に前記制御ユニットに電気的に接続されるトリガー素子を更に備え、前記一定のヘアが前記切欠き部を通過して前記筒状部材と前記周囲部材との間の空間に入ると、前記トリガー素子がトリガーされてトリガー信号を前記制御ユニットに発信させ、前記制御ユニットは前記トリガー信号に基づいて前記モーターを制御させて前記回転キットを連動させて前記一定のヘアを前記筒状部材に止着させて回転させることで前記筒状部材に巻回させ、且つ前記第一電熱素子及び前記第二電熱素子を制御させて発熱させ、前記筒状部材に巻回される前記一定のヘアの成型を行う。
【０００９】
好ましい実施態様では、電源装置は充電池を備える。
【００１０】
好ましい実施態様では、前記第一電熱素子はセラミック電熱素子、ポリイミドサーモフィルム、シリコンサーモフィルム素子、及び電熱シート素子のの組み合わせの内の何れか１つから選択される。
【００１１】
好ましい実施態様では、前記第二電熱素子にはセラミック電熱素子、ポリイミドサーモフィルム、シリコンサーモフィルム素子、及び電熱シート素子の組み合わせの内の何れか１つから選択される。
【考案の効果】
【００１２】
本考案に係る電熱式ヘアカーラー装置は操作性が高く、髪を傷付けない、直流電流方式の手持ち式電熱式ヘアカーラー装置であり、使用者がどこでも使用できる。
【図面の簡単な説明】
【００１３】
【図１】本考案の第１実施形態による電熱式ヘアカーラー装置装置を示す外観斜視図である。
【図２】本考案の第１実施形態による電熱式ヘアカーラー装置装置の毛髪巻き部の部材、素子を示す展開図である。
【図３】本考案の第１実施形態による電熱式ヘアカーラー装置装置の毛髪巻き部の末端を示す側面図である。
【図４】本考案の第１実施形態による電熱式ヘアカーラー装置装置を示す機能模式図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
図１は本考案の第１実施形態による電熱式ヘアカーラー装置装置１を示す外観斜視図である。図２は本考案の第１実施形態による電熱式ヘアカーラー装置装置１の毛髪巻き部１０４の部材、素子を示す展開図である。図３は本考案の第１実施形態による電熱式ヘアカーラー装置装置の毛髪巻き部１０４の末端を示す側面図である。図４は本考案の第１実施形態による電熱式ヘアカーラー装置装置１を示す機能模式図である。
【００１６】
以下、本考案の実施形態について、図１乃至図４を参照しながら説明する。本考案に係る一実施形態による電熱式ヘアカーラー装置装置１は、ケース１０、筒状部材１２、回転キット１４、モーター１６、周囲部材１８、第一電熱素子２０、第二電熱素子２２、電源装置２４、及び制御ユニット２６を備える。
【００１７】
なお、ケース１０は、グリップ１０２及び毛髪入れ部１０４を備える。グリップ１０２には長軸方向Ｌが定義される。従来の技術の手持ち式ヘア成型装置との違いは、本考案に係る電熱式ヘアカーラー装置１には１つの柄のみの設計を採用し、即ち１つのグリップのみを有する点である。
【００１８】
毛髪入れ部１０４は保護板１０６、周辺１０７、及び切欠き部１０８を有する。保護板１０６はグリップ１０２の先端に形成されると共に中心方向Ｃが定義され、且つ中心方向Ｃは長軸方向Ｌに大体垂直になる。周辺１０７は保護板１０６から延伸されると共に中心方向Ｃを包囲させる。前記切欠き部１０８は周辺１０７に形成される。
【００１９】
また、筒状部材１２は保護板１０６に設置されると共に中心方向Ｃの箇所に位置される。回転キット１４は毛髪入れ部１０４に内設されると共に筒状部材１２の先端に隣接される。モーター１６は毛髪入れ部１０４に内設されると共に回転キット１４に操作可能に連結される。周囲部材１８の輪郭は周辺１０７に対応し、且つ保護板１０６に設置されると共に周辺１０７の内側に位置される。
【００２０】
第一電熱素子２０は筒状部材１２内に装設されると共に筒状部材１２に熱結合される。第二電熱素子２２は周囲部材１８に内設されると共に周囲部材１８に熱結合される。電源装置２４はグリップ１０２に内設される。制御ユニット２６はグリップ１０２に内設され、且つモーター１６、第一電熱素子２０、及び第二電熱素子２２にそれぞれ電気的に接続される。
【００２１】
使用者は片手でグリップ１０２を握り、保護板１０６を自分に向け、もう片方の手で一定の適当量のヘアＨを引っ張り切欠き部１０８を通過させて筒状部材１２と周囲部材１８との間の空間Ｓに入れる。使用者は本考案に係る電熱式ヘアカーラー装置を操作し、他の人のヘアのカールを成型させることもできる。
【００２２】
なお、前記一定のヘアＨを筒状部材１２と周囲部材１８との間の空間Ｓに入れると、制御ユニット２６は命令を受信した後かトリガー信号を受信した後に、モーター１６を制御させて設定された方向に回転させ、回転キット１４を連動させて切欠き部１０８の箇所に近接するヘアＨを筒状部材１２に止着させ、さらに回転させることで前記一定のヘアＨを止着された部分から末梢部分まで徐々に空間Ｓに引き入れ、筒状部材１２の自由端の方向に向けて筒状部材１２に巻回させる。モーター１６は、所定の巻き数に到達するまで回転した後か、或いは抵抗力が閾値に達した後に回転を即時停止するように設定される。
【００２３】
次に、制御ユニット２６により第一電熱素子２０及び第二電熱素子２２を制御させて設定時間内に設定温度に達するまで発熱を行い、続いて筒状部材１２に巻回された前記一定のヘアＨの成型を行う。モーター１６及び回転キット１４は前記一定のヘアＨに対して引張力をかけない。実際には、前記一定のヘアＨは筒状部材１２と周囲部材１８との間の空間Ｓ内を包囲させる。これにより、空間Ｓ内を包囲させる前記一定のヘアＨは熱により成型され、外力で引っ張られないため髪を傷めない。前記一定のヘアＨの成型を完成させた後、制御ユニット２６は回転キット１４を制御させて前記一定のヘアＨを脱離させ、前記一定のヘアＨは筒状部材１２と周囲部材１８との間の空間Ｓから容易に脱離できる。
【００２４】
電源装置２４は、モーター１６、第一電熱素子２０、第二電熱素子２２、及び制御ユニット２６に動作に必要な電力を給電させる。
【００２５】
好ましい実施態様において、電源装置２４は充電池を備える。このため、使用者は本考案に係る電熱式ヘアカーラー装置１を使用する場合、交流電源に制限されないためどこでも使用可能になる。また、本考案に係る電熱式ヘアカーラー装置１に採用される充電池から供給される電圧は安全な直流電圧の範囲内であり、電磁波を発生させないため人体に有害ではない上、感電の危険もない。
【００２６】
好ましい実施態様において、電源装置２４は外部の交流電源への接続に用いられるコネクター３２を更に備える（図３参照）。本考案に係る電熱式ヘアカーラー装置装置１におけるモーター１６、第一電熱素子２０、第二電熱素子２２等の部材は全て直流電圧で駆動し操作される。
【００２７】
また、本考案に係る電熱式ヘアカーラー装置装置１はトリガー素子２８を更に備える。トリガー素子２８は切欠き部１０８の箇所に設置されると共に制御ユニット２６に電気的に接続される。前記一定のヘアＨが切欠き部１０８を通過させて筒状部材１２と周囲部材１８との間の空間Ｓに入ると、トリガー素子２８がトリガーされてトリガー信号が制御ユニット２６に発信される。制御ユニット２６はトリガー信号に基づいてモーター１６を制御させて前記回転キット１４を連動させ、前記一定のヘアＨを筒状部材１２に止着させ、さらに回転させることで筒状部材１２に巻回させ、且つ第一電熱素子２０及び第二電熱素子２２を制御させて発熱を行わせ、筒状部材１２に巻回された前記一定のヘアＨの成型を行う。実際の応用では、制御ユニット２６がトリガー信号を受信し制御を行った後、一定時間（約数秒）遅延した後にモーター１６の制御を開始する。
【００２８】
好ましい実施態様において、トリガー素子２８はマイクロスイッチ、光検知器、或いは他の切欠き部１０８の箇所に設置するのに適したトリガー素子である。
【００２９】
なお、本考案に係る電熱式ヘアカーラー装置装置１は温度感知器３６を更に備える。温度感知器３６は空間Ｓに内設されると共に制御ユニット２６に電気的に接続される。本考案に係る電熱式ヘアカーラー装置１の操作時には、温度感知器３６が空間Ｓ内の温度を感知させ、感知された温度に基づいて温度信号を制御ユニット２６に発信させる。制御ユニット２６は温度信号に基づいて第一電熱素子２０及び第二電熱素子２２の動作を制御させる。
【００３０】
好ましい実施態様において、第一電熱素子２０はセラミック電熱素子、ポリイミドサーモフィルム、シリコンサーモフィルム、電熱シート素子、或いは筒状部材１２に内設される他の商用の電熱素子である。セラミック電熱素子は金属線をセラミック基材内に埋設させる電熱素子である。ポリイミドサーモフィルムは金属線をポリイミドフィルム内に埋設させる電熱素子である。シリコンサーモフィルムは金属線をシリコンフィルム内に埋設させる電熱素子である。電熱シート素子は金属細線或いは金属糸を紡績技術で紡績した電熱素子である。
【００３１】
好ましい実施態様において、第二電熱素子２２はセラミック電熱素子、ポリイミドサーモフィルム、シリコンサーモフィルム、電熱シート素子、或いは周囲部材１８に内設される他の商用の電熱素子である。
【００３２】
本考案に係る電熱式ヘアカーラー装置装置１は制御座３０を更に備える。制御座３０はグリップ１０２に設置されると共に制御ユニット２６に電気的に接続される。使用者は制御座３０により命令を制御ユニット２６に入力させる。制御ユニット２６はトリガー信号及び命令に基づいてモーター１６を制御させて回転キット１４を連動させ、前記一定のヘアＨを筒状部材１２に止着させて回転させることで筒状部材１２に巻回させ、且つ第一電熱素子２０及び第二電熱素子２２を制御させて発熱を行わせ、筒状部材１２に巻回された前記一定のヘアＨの成型を行う。
【００３３】
なお、本考案に係る電熱式ヘアカーラー装置装置１は表示装置３４を更に備える。表示装置はグリップ１０２に設置されると共に制御ユニット２６に電気的に接続される。制御ユニット２６は表示信号を表示装置３４に出力させる。表示装置３４は制御ユニット２６から伝送された表示信号を表示させる。
【００３４】
以上、本考案の実施形態について図面を参照して詳述したが、具体的な構成はこの実施形態に限られるものではなく、本考案の要旨を逸脱しない範囲の設計変更等も含まれる。
【符号の説明】
【００３５】
１ 電熱式ヘアカーラー装置
１０  ケース
１０２ グリップ
１０４  毛髪入れ部
１０６ 保護板
１０７  周辺
１０８ 切欠き部
１２  筒状部材
１４ 回転キット
１６  モーター
１８ 周囲部材
２０  第一電熱素子
２２ 第二電熱素子
２４  電源装置
２６ 制御ユニット
２８  トリガー素子
３０ 制御座
３２  コネクター
３４ 表示装置
３６  温度感知器
Ｌ  長軸方向
Ｃ  中心方向
Ｓ  空間
Ｈ  ヘア
【図１】
0003196553.tif 000003
【図２】
0003196553.tif 000004
【図３】
0003196553.tif 000005
【図４】
0003196553.tif 000006